(57)【要約】【課題】  伸縮可能なハニカム構造を持つ構造体によってセードを構成した照明器具において、そのセードの変形を防ぐ。【解決手段】  電球２を覆うセード１を、伸縮可能なハニカム構造を持つ構造体１０によって形成する。構造体１０を、展開状態で電球２の光を内側から外側へ透過させる紙材によって形成してあると共に、展開状態で電球２の光を内側から外側へ通過させる空間光路を有している。展開状態での構造体１０の内周部分に溝部５を形成し、その溝部５に筒状の保形体６を嵌合することによって、球状のセード１の径方向の拡縮変形を防ぐ。【選択図】        図１
0003122316.tif 000002
【実用新案登録請求の範囲】
【請求項１】
内部空間に収容させた光源を覆うセードが、筒状ないし球状の展開状態と積層状の折畳み状態との間で伸縮可能なハニカム構造を持つ構造体によって形成されていて、
その構造体が、展開状態で上記光源の光を内側から外側へ透過させる紙材によって形成されていると共に、展開状態で上記光源の光を内側から外側へ通過させる空間光路を有しており、
展開状態での上記構造体の内周部分に、その構造体の展開折畳み変形時の中心となる中心軸線に対して同心状でかつ軸長方向が上記中心軸線に沿う溝部が備わり、その溝部に、展開状態での当該構造体の径方向での拡縮変形を防ぐ筒状の保形体を嵌脱可能としてあることを特徴とする照明器具。
【請求項２】
上記構造体を展開状態と折畳み状態との間で変形させるときに開閉される当該構造体の２つの端面に、互いに着脱可能な一対の係止部材でなる止着具の一方側の上記係止部材とその相手方である他方側の上記係止部材とを振り分けて設けてある請求項１に記載した照明器具。
【請求項３】
構造体を展開して筒状ないし球状のセードを形成させたときにそのセードの中心軸線上に必然的に形作られる当該セードの内部空間と外部とを連通させる孔部に、天井から垂れ下げた電気コードが挿通されて、その電気コードに接続したソケットに上記光源としての電球が取り付けられている請求項１又は請求項２に記載した照明器具。
【考案の詳細な説明】
【技術分野】
【０００１】
本考案は、照明器具、特に光源を覆うセードがハニカム構造を持つ構造体によって製作されている照明器具に関する。
【背景技術】
【０００２】
この種の照明器具として、電気スタンドの構成部品を削減するために、傘形部分と台座部分とを具備するペーパハニカムコアシェードの収納スペースに収容させた照明器部分に、上記台座部分の外側に嵌合させた囲い壁に連結することによってその照明器部分をペーパハニカムコアシェードに取り付けるという提案がなされている（たとえば、特許文献１参照）。そして、この特許文献１には、ペーパハニカムコアシェードは開いて円錐形状に形作ることが可能な伸縮性を有すること、開いた状態では多数のハニカム状の貫通孔が形成されること、ペーパハニカムコアシェードの２つのフェースに面ファスナーなどの接合パーツを取り付けてそれらのフェースを結合し得ること、などが記載されている。
【０００３】
【特許文献１】実用新案登録第３０９９２１４号公報（図６、図７）
【考案の開示】
【考案が解決しようとする課題】
【０００４】
しかしながら、従来例として説明した上記電気スタンドでは、そのペーパハニカムコアシェードがハニカム構造による優れた耐変形強度を発揮するものであるとしても、そのペーパハニカムコアシェード（照明器具のセードに相当している）が紙製であって開閉方向に伸縮可能であるところから、そのような耐変形強度はペーパハニカムコアシェードのハニカム構造を形作っている部分だけで発揮されるに過ぎず、円錐形状に開いたときの径方向での変形強度、言い換えると全体外観形状を変形しにくくすることにはそれほど役立たない。むしろ、ハニカム構造部分が伸縮可能であるために、円錐形状に開いたときの径方向での変形強度は比較的弱く、円錐形状に開かれたペーパハニカムコアシェードを手で押し引きしたりしたときには比較的柔軟な変形性を示して容易に変形することが判っている。このため、従来例の電気スタンドでは、２つのフェースが面ファスナーで結合されて円錐形状に保形されたペーパハニカムコアシェードが経時によって次第に形崩れしたり、湿気や温度の変化によって容易に形崩れしたりするおそれがあるという問題があると云える。
【０００５】
本考案は以上の問題に鑑みてなされたものである。すなわち、本考案は、伸縮可能なハニカム構造を持つ構造体によってセードを構成し得るものでありながら、その構造体を伸長させて展開することによりセードとして使用した場合に、そのセードの径方向の耐変形強度を高めてその全体外観形状の形崩れが起こりにくくする対策を講じた照明器具を提供することを目的とする。
【０００６】
しかも、本考案は、セードの全体外観形状の形崩れが起こりにくくする対策を講じているものでありながら、セードひいては照明器具にすっきりとしたシンプルな外観を付与することのできる照明器具を提供することを目的とする。
【０００７】
さらに、本考案は、電気スタンドのように机上や床面に設置するタイプの照明器具ではなく、天井吊下げ式とすることに適した照明器具を提供することを目的とする。
【課題を解決するための手段】
【０００８】
本考案に係る照明器具は、内部空間に収容させた光源を覆うセードが、筒状ないし球状の展開状態と積層状の折畳み状態との間で伸縮可能なハニカム構造を持つ構造体によって形成されていて、その構造体が、展開状態で上記光源の光を内側から外側へ透過させる紙材によって形成されていると共に、展開状態で上記光源の光を内側から外側へ通過させる空間光路を有している。しかも、展開状態での上記構造体の内周部分に、その構造体の展開折畳み変形時の中心となる中心軸線に対して同心状でかつ軸長方向が上記中心軸線に沿う溝部が備わり、その溝部に、展開状態での当該構造体の径方向での拡縮変形を防ぐ筒状の保形体を嵌脱可能としてある。
【０００９】
この構成であると、構造体を筒状ないし球状に展開してセードを形成し、上記構造体の内周部分に備わっている溝部に筒状の保形体を嵌合しておくと、当該構造体によって形成されているセードの径方向の拡縮変形が防止される。言い換えると、セードの径方向での体変形強度が改善されてセードの形崩れが従来例よりも起こりにくくなる。しかも、セードの形崩れを防ぐ作用を発揮している上記保形体が、展開状態での構造体の内周部分に配備されるために、その保形体がセードの外側からは見えない。その結果、セードひいては照明器具にすっきりとしたシンプルな外観を付与することが容易に可能である。
【００１０】
本考案では、上記構造体を展開状態と折畳み状態との間で変形させるときに開閉される当該構造体の２つの端面に、互いに着脱可能な一対の係止部材でなる止着具の一方側の上記係止部材とその相手方である他方側の上記係止部材とを振り分けて設けてある、という構成を採用することが可能であり、これによれば、止着具の一対の係止部材を離脱させることによって構造体を積層状態に折り畳むことが可能になり、構造体を展開して止着具の一対の係止部材を装着することにより、その構造体が折り畳まれないように筒状又は球状に保形しておくことが可能になる。
【００１１】
さらに、上記した各考案では、内部空間に収容させた光源を覆うセードが、筒状ないし球状の展開状態と積層状の折畳み状態との間で伸縮可能なハニカム構造を持つ構造体によって形成されていて、その構造体が、展開状態で上記光源の光を内側から外側へ透過させる紙材によって形成されていると共に、展開状態で上記光源の光を内側から外側へ通過させる空間光路を有していることにより、構造体を展開して筒状ないし球状のセードを形成させたときには、そのセードの中心軸線上に必然的に当該セードの内部空間と外部とを連通させる孔部が形作られる。そして、その孔部は天井から垂れ下げた電気コードの挿通孔として利用することができるために、その孔部に電気コードを挿通させてその電気コードに接続したソケットに電球を取り付けておけば、天井吊下げ式の照明器具としての使用が可能になる。
【考案の効果】
【００１２】
本考案によれば、伸縮可能なハニカム構造を持つ構造体を展開することによってセードが構成されているために、そのセード自体が径方向の拡縮変形による形崩れを起こしやすい性質を有しているとしても、そのような形崩れを起こしやすいという性質が、展開状態での構造体の内周部分の溝部に嵌合させた筒状の保形体によって改善されることになる。したがって、セードのすっきりとした外観を損なわずにセードを形崩れしにくくすることが可能になる。このことから、セードの初期形状が長期に亘って良好に維持されて耐用性に優れた照明器具を提供することが可能になる。
【００１３】
また、本考案に係る照明器具では、構造体が、展開状態で光源の光を内側から外側へ透過させる紙材によって形成されていると共に、展開状態で上記光源の光を内側から外側へ通過させる空間光路を有していることにより、空間光路から出る直接光と構造体の材料である紙材を透過する間接光とを複合させた照明が可能であると共に、セード自体も上記紙材を透過する間接光によってまぶしくない光を放つために照明器具自体に見栄えの良いインテリア性が付与されるという利点がある。
【００１４】
さらに、本考案に係る照明器具は、電気コードの挿通孔を形成するための特別な対策を講じることなく、電気コードをセードの内部に挿通させることができるために、特に天井吊下げ式の照明器具に適するという効果が得られる。
【考案を実施するための最良の形態】
【００１５】
図１は本考案の実施形態に係る照明器具の一部破断正面図、図２は構造体１０の展開状態を示した要部の正面図、図３は構造体１０の折畳み状態の一形態を示した要部の正面図、図４は構造体の製作に用い得る紙片１１を例示した説明図、図５は構造体１０を展開方向及び折畳み方向を示した説明図、図６は止着具の配置を例示した説明図、図７は図６のＶＩＩ部の拡大図、図８は止着具３を例示した分解斜視図、図９は保形体６の装着工程を示した説明図である。
【００１６】
図１のように、この照明器具は、中空球状のセード１と、そのセード１の内部空間に収容されている光源としての電球２とを備えていて、電球２は、天井１００に設置されているコンセント１１０から垂れ下げられてセード１の内部空間に導入されている電気コード１３０に接続されたソケット１４０に装着されて球状のセード１の内部空間の中心部に配備されている。
【００１７】
セード１は、球状の展開状態と積層状の折畳み状態との間で伸縮可能なハニカム構造を持つ構造体１０によって形成されている。この構造体１０は、たとえば、図４に示した円弧形状の多数枚の紙片１１同士を所定箇所で接着剤により接合することによって製作されている。具体的には、図４に例示したように、円弧状の紙片１１の間隔を隔てた複数箇所に縦ストライプ状に接着層１２を形成すると共に、１枚の紙片１１の表裏に形成する接着層１２の位置をずらせておいて、表裏の各接着層１２に他の紙片を接合するという手法で製作されている。そして、それぞれの紙片１１には、１箇所の接合部分についての片側の非接着箇所との境界線に折り跡１１ａが形成されている。こうして製作されている構造体１０は、その構成材料である紙片１１が円弧形状であることにより、図２のように個々の紙片１１の折り跡１１ａを折り曲げる方向（個々の紙片１１を互いに引き離す方向）に引張ることにより伸長されて中空球状の展開状態となり、その展開状態では、相隣接する紙片が方形セルの集合でなるハニカム構造を形成する（構造体１０を展開させる方向を図５及び図６に矢印Ａで示してある）。これに対し、図３のように個々の紙片１１を互いに近づける方向に押してそれらの折り跡１１ａを伸ばす方向に収縮させると、積層状の折畳み状態となって上記したハニカム構造が解消される。この場合、折り跡１１ａをまっすぐに伸ばしきることによって個々の紙片１１が隙間なく重なりあった折畳み状態になる。折り跡１１ａが伸びきる直前の状態にまで構造体１０を折り畳んだ状態を図５に示してある。
【００１８】
構造体１０を展開して球状のセード１を形成させると、そのセード１には、図１や図２に示したように、それぞれの方形セルによって構造体１０の展開折畳み変形時の中心軸線Ｌに沿う中空部分が形成され、それらの中空部分が、光源としての電球２の光を内側から外側へ向けて通過させる空間光路１３として作用するようになり、それらの空間光路１３を電球２の光が図１の実線矢印のように反射しながらあるいは直接に通過する。また、構造体１に用いられている紙片１１には透光性を持つ紙材が用いられている。そのために、電球２の光は、図１の破線矢印のようにハニカム構造を形作っている紙片１１を内側から外側へ向けて透過する。この結果、空間光路１３から出る直接光と紙片１１を透過する間接光とが複合した照明が行われる。また、セード１自体も紙片１１を透過する間接光によってまぶしくない光を放つために照明器具自体に見栄えの良いインテリア性が付与される。
【００１９】
この実施形態では、図６又は図７に示したように、構造体１０を展開状態と折畳み状態との間で変形させるときに開閉される当該構造体１０の２つの端面１５，１６に、互いに着脱可能な一対の係止部材３１，３２でなる止着具３の一方側の係止部材３１とその相手方である他方側の係止部材３２とを振り分けて設けてある。図８のように、図例の止着具３にあっては、一方の係止部材３１が雄側ホック、他方の係止部材３２が雌側ホックとして構成されている。こうしておくと、構造体１０を展開することにより球状のセード１を形作った場合に、止着具３の一対の係止部材３１，３２を係着して構造体１０の２つの端面１５，１６を開かないように結合しておくことができるため、セード１が球状に保形されて形崩れしにくくなる。
【００２０】
さらに、この実施形態では、図９のように、球状の展開状態での構造体１０の内周部分の頂部と底部とに、その構造体１０の展開折畳み変形時の中心となる中心軸線Ｌ（図１参照）に対して同心状でかつ軸長方向が中心軸線Ｌに沿う溝部５が備わっている。そして、それら上下の溝部５に筒状の保形体６を矢印のように嵌合させることによって、展開状態での構造体１０の径方向での拡縮変形が防止されるようにしてある。こうしておくと、球状のセード１が上記止着具３によって開かないように保形されていることと相まって、そのセード１の径方向での拡縮変形が上下の溝部５に嵌合された保形体６によって防止されるために、セード１自体の径方向の拡縮変形による形崩れを起こしにくくなる。しかも、その保形体６は、セード１の内部で溝部５に嵌合されているために外部からは見えない。その結果、セード１だけによって発揮されるすっきりとした球状の外観がその保形体６によって損なわれることもない。なお、保形体６は接着剤でセード１に接合して脱落を防いでおくことが望ましい。
【００２１】
さらに、図１に示したように、球状のセード１は、その頂部に形成されている孔部１８に電気コード１３０が挿通されていると共に、その電気コード１３０に固着された止め具１３１がその孔部１８に固着されている。したがって、セード１の重量は電気コード１３０によって支持されている。
【００２２】
ところで、セード１の上記孔部１８は、図４に示した紙片１１を用いて製作した構造体１０を球状に展開させることによって必然的に形成される。すなわち、紙片１１は一定の厚さを有しているので、構造体１０を球状に展開したときにはそれぞれの紙片１１が放射方向に向く姿勢になって円環状に並ぶため、それらの紙片１１の上部内端や下部内端によって取り囲まれた孔部１８が必然的に形成される。したがって、電気コード１３を挿通させてある孔部１８を特別に追加した工程で開設する必要性はない。ただし、孔部１８の直径が小さすぎるときには、紙片１１の形状を変更してその孔部１８を大きくしておけばよい。
【００２３】
図１０は他の実施形態による照明器具の縦断正面図である。この実施形態は、図１などを参照説明した説明した照明器具のセード１を横向きにしてその頂部に孔部１８を開設し、その孔部１８に電気コード１３０を挿通させたものに相当している。その他の構成、たとえば、図９に示した保形体６を用いて球状のセード１の径方向での拡縮変形を防止している点などは、図１などで説明した実施形態と同様である。また、作用についても図１などで説明した実施形態と同様である。したがって、説明の重複を避けるため、同一部分に同一符号を付して詳細な説明を省略する。
【図面の簡単な説明】
【００２４】
【図１】本考案の実施形態に係る照明器具の一部破断正面図である。
【図２】構造体の展開状態を示した要部の正面図である。
【図３】構造体の折畳み状態の一形態を示した要部の正面図である。
【図４】構造体の製作に用い得る紙片を例示した説明図である。
【図５】構造体の展開方向及び折畳み方向を示した説明図である。
【図６】止着具の配置を例示した説明図である。
【図７】図６のＶＩＩ部の拡大図である。
【図８】止着具を例示した分解斜視図である。
【図９】保形体の装着工程を示した説明図である。
【図１０】他の実施形態による照明器具の縦断正面図である。
【符号の説明】
【００２５】
１  セード
２  電球（光源）
３  止着具
５  溝部
６  保形体
１０  構造体
１３  空間光路
１５，１６  端面
１８  孔部
３１  一方側の係止部材
３２  他方側の係止部材
１３０  電気コード
１００  天井
１４０  ソケット
Ｌ  中心軸線
【図１】
0003122316.tif 000003
【図２】
0003122316.tif 000004
【図３】
0003122316.tif 000005
【図４】
0003122316.tif 000006
【図５】
0003122316.tif 000007
【図６】
0003122316.tif 000008
【図７】
0003122316.tif 000009
【図８】
0003122316.tif 000010
【図９】
0003122316.tif 000011
【図１０】
0003122316.tif 000012